(57)【特許請求の範囲】
【請求項１】
空気調和機本体と、この空気調和機本体の下面に取り付けられる化粧パネルと、この化粧パネルのパネル本体の四隅に設けたコーナパネルと、を備える天井埋込型空気調和装置において、
前記コーナパネルは、前記パネル本体の係止孔に嵌まる係止爪を備えると共に、前記パネル本体のコーナ内壁部に設けた台座部に延出しこの台座部に止着する連結脚をコーナパネルの一隅部に備え、
前記連結脚は、弾性体であり、前記コーナ内壁部に設けた係合孔に係合する突部を備え、前記連結脚の先端に、前記台座部を超えて延出したつまみ部を形成した
ことを特徴とする天井埋込型空気調和装置。
【発明の詳細な説明】
【技術分野】
【０００１】
本発明は、四隅にコーナパネルを設けた化粧パネルを備える天井埋込型空気調和装置に関する。
【背景技術】
【０００２】
従来、空気調和機本体を吊りボルトを介して天井に吊下げると共に、この空気調和機本体の下面に化粧パネルを取り付け、この化粧パネルのパネル本体の四隅に着脱自在にコーナパネルを設けた天井埋込型空気調和装置が知られている。
この種の空気調和装置において、作業者等は、例えば室内機本体の高さ調整等のため吊りボルトを操作する際、パネル本体からコーナパネルを外してパネル本体に形成された開口を露出し、この開口から手や工具を挿入する等して吊りボルトにアクセスして、吊りボルトを操作する。ここで、コーナパネルは、作業の簡易化、迅速化の観点から、上記作業時には、パネル本体から容易に取り外すことができるように構成されることが求められる。
これに鑑み、コーナパネルに永久磁石を設けると共に、化粧パネルにこの永久磁石と対応する金属製のプレートを設け、これら永久磁石とプレートとの間に働く吸引力を利用し、コーナパネルの化粧パネルに対する着脱容易性を向上した空気調和装置がある（例えば、特許文献１参照）。
【特許文献１】特許第３２８４７５５号
【発明の開示】
【発明が解決しようとする課題】
【０００３】
しかしながら、上述した空気調和装置では、永久磁石及びプレートが必要となる分製造にかかるコストが増大すると共に、コーナパネルおよび化粧パネルに、これら永久磁石及びプレートを取り付けるための特別な機構を設ける必要があり、部材構造が複雑化してしまう、という問題があった。
【０００４】
本発明は、上述した事情に鑑みてなされたものであり、コーナパネルの化粧パネルに対する着脱容易性を維持したまま、コストを削減し、かつ、部材構造を簡素化した天井埋込型空気調和装置を提供することを目的とする。
【課題を解決するための手段】
【０００５】
上記目的を達成するために、本発明は、空気調和機本体と、この空気調和機本体の下面に取り付けられる化粧パネルと、この化粧パネルのパネル本体の四隅に設けたコーナパネルと、を備える天井埋込型空気調和装置において、前記コーナパネルは、前記パネル本体の係止孔に嵌まる係止爪を備えると共に、前記パネル本体のコーナ内壁部に設けた台座部に延出しこの台座部に止着する連結脚をコーナパネルの一隅部に備え、前記連結脚は、弾性体であり、前記コーナ内壁部に設けた係合孔に係合する突部を備え、前記連結脚の先端に、前記台座部を超えて延出したつまみ部を形成したことを特徴とする。
【発明の効果】
【０００６】
本発明によれば、パネル本体におけるコーナパネルが取り付けられる位置に、コーナパネルを天井方向へ向かって押し込み、パネル本体に形成された係止孔にコーナパネルの係止爪を係止させ、かつ、コーナパネルの連結脚の突部をパネル本体のコーナ内壁部の係合孔に係合することにより、簡単にコーナパネルをパネル本体に取り付けることができる。また、上記連結脚を弾性変形して、上記突部と上記係合孔の係合を解くことにより簡単にコーナパネルをパネル本体から取り外すことができる。このため、永久磁石やプレート等特別な部材を用いることなく、着脱容易性を確保することができ、コストの削減及び部材構造の簡素化を図ることができる。
【発明を実施するための最良の形態】
【０００７】
以下、図面を参照して本発明の実施の形態について説明する。
図１は、本実施形態に係る天井埋込型空気調和装置１の空気調和機２をグリッドシステム天井に設置した状態を下から見た図である。
このグリッドシステム天井は、複数本の吊り具（不図示）を介して天井に吊下げられた複数の保持バー３を備えている。これら保持バー３は、格子状に組まれており、保持バー３で囲まれた空間に、保持バー開口部４が形成されている。本実施形態では、保持バー開口部４のそれぞれは、６００ｍｍ×６００ｍｍの大きさの開口を有しており、保持バー開口部４には、この開口の大きさに対応した、天井面を形成するための天井材５や、室内を照明するための照明ユニット６等が取り付けられると共に、室内の空気調和を行うための空気調和機２が取り付けられている。
【０００８】
図２は、この空気調和機２を下面側から示す斜視図であり、図３は、空気調和機２の縦断面図である。
本実施形態に係る空気調和機２は、上記保持バー開口部４に対応した６００ｍｍ×６００ｍｍの外形状を有する４方向カセット型の空気調和機２であり、図２及び図３に示すように、吊りボルト１０を介して天井に吊り下げられる空気調和機本体１１と、この空気調和機本体１１の下面に取り付けられた化粧パネル１２とを有する。
【０００９】
上記空気調和機本体１１は、図２及び図３に示すように、空気調和機本体１１の外形部分を構成する筐体１３を備えている。この筐体１３は、下面に開口が形成された略箱形状に形成されており、天板部１３Ａと、側板部１３Ｂとを有している。この側板部１３Ｂの外面における４つの角部には、図２に示すように、吊り金具１４が設けられ、この吊り金具１４には天井から垂下した吊りボルト１０が取り付けられており、筐体１３は、この吊りボルト１０に吊持されて天井に支持されている。
【００１０】
筐体１３の天板部１３Ａ及び側板部１３Ｂの全面に亘る内面には、図３に示すように、発泡スチロール製の断熱体１５が設けられている。また、筐体１３の天板部１３Ａには、送風ファン１６が固定され、この送風ファン１６を取り囲むように室内熱交換器１７が設けられており、上記送風ファン１６によって、化粧パネル１２の吸込口２１（後述）を介して吸い込まれた空気が室内熱交換器１７に供給されると共に、室内熱交換器１７により熱交換された空気が化粧パネル１２の吹出口２２（後述）から吹き出される構成となっている。室内熱交換器１７の下方には、この室内熱交換器１７から流下する結露水を受ける発泡スチロール製のドレンパン１８が配置されている。
【００１１】
一方、化粧パネル１２は、図２に示すように、平面視略矩形に形成された化粧パネル本体２０を有し、この化粧パネル本体２０は、化粧パネル本体２０の略中央部に形成された吸込口２１と、化粧パネル本体２０の４辺の近傍に、それぞれの辺に沿って形成された吹出口２２とを備えている。上記吸込口２１には吸込グリル２３が着脱自在に取り付けられ、この吸込グリル２３には、吸込口２１を介して筐体１３内に流入する空気中に含まれる塵埃を除去するためのフィルタ２４が装着されている。空気調和機２は、吸込口２１を介して室内の空気を筐体１３の内部へ吸い込み、筐体１３内で空気の熱交換を行った後、吹出口２２を介して室内へ向けて空気を吹き出す。
また、化粧パネル本体２０の四隅において、上記吊り金具１４の下方には、図２に示すように、化粧パネル側開口２５が形成されており（図４及び図６も併せて参照）、この化粧パネル側開口２５を塞ぐようにコーナパネル３０が化粧パネル本体２０に対して着脱自在に取り付けられている。空気調和機２の位置決めや高さ調整等を行う場合、作業者等は、このコーナパネル３０を取り外し、化粧パネル側開口２５を露出し、この化粧パネル側開口２５に、手や工具を挿入して上記吊りボルト１０にアクセスし、この吊りボルト１０を操作して、空気調和機２の位置決め等を行う。このため、コーナパネル３０は、作業の簡易化、迅速化のために、作業時において容易に着脱できることが求められており、この着脱容易性を実現するために、本実施形態に係る化粧パネル本体２０及びコーナパネル３０は、以下の構成となっている。
【００１２】
図４は、化粧パネル本体２０の四つの隅部のうち一つの隅部２０Ａを、室内側から見た図であり、コーナパネル３０及び吸込グリル２３を取り外した状態を示している。図５は、コーナパネル３０を裏面から見た斜視図である。ここでコーナパネル３０の裏面とは、コーナパネル３０を化粧パネル本体２０に取り付けたときに天井裏側に臨む面のことである。図６及び図７は、コーナパネル３０の化粧パネル本体２０に対する取り付け方、取り外し方を説明するための図であり、図６は、取り付ける前の状態を、図７は、取り付けた後の状態を示している。なお、以下の説明において、化粧パネル１２の四つの隅部は、それぞれ略同一の構成のため、以下一つの隅部２０Ａを例に説明する。同様に、化粧パネル本体２０の四隅に設けられた四つの各コーナパネル３０は、それぞれ略同一の構成のため、以下一つのコーナパネル３０を例に説明する。
【００１３】
まず、コーナパネル３０が取り付けられる化粧パネル本体２０の隅部２０Ａについて説明する。図４に示すように、化粧パネル本体２０は吹出口２２を囲うように枠状に形成した枠体８０を有し、この枠体８０は４つの枠部材８１を備えている。図４に示した２つの枠部材８１Ａ，８１Ｂは、化粧パネル本体２０の隅部２０Ａで直交し、その隅部２０Ａには、上述した化粧パネル側開口２５が天井裏側に貫通して形成されており、この化粧パネル側開口２５の室内側には、コーナパネル３０が嵌合する嵌合用開口部（以下、単に開口部という。）３１が形成されている。この開口部３１は、コーナパネル３０が嵌まり込むべく、コーナパネル３０の形状に対応した略矩形状に形成されている。開口部３１の内周縁において、開口部３１の四つの隅部のうち、外側へ向かう方向（図４中矢印で示す外方向。以下、この方向を「外方向」という。）に形成された外側隅部３２の内周縁には、外方向に凹んだ外側係止孔３３が形成されている。この外側係止孔３３は、後述するコーナパネル３０の外側係止爪５２（図５）が係止するための係止孔である。
開口部３１の内周縁において、開口部３１の四つの隅部のうち上記外側隅部３２と隣接する２つの側方隅部３４，３４の内周縁には、図４及び図６に示すように、側方係止孔３５，３５が形成されている。この側方係止孔３５，３５は、後述するコーナパネル３０の側方係止爪５４，５４（図５）が係止する係止孔である。
また、開口部３１の四つの隅部のうち中心方向に形成された中心隅部３６には、コーナ内壁部４０が形成されている。
【００１４】
このコーナ内壁部４０は、図４及び図６に示すように、２つの枠部材８１Ａ，８１Ｂの各内壁面８２，８３（図６及び図７）の端部同士を連結する部材であり、仕切り板８６と、台座部４２と、を有している。
仕切り板８６は、開口部３１と上記吸込口２１とを仕切る板状の部材であり、化粧パネル本体２０から、外方向へ傾斜しつつ、室内方向へ延出している。この仕切り板８６には、図６に示すように、切り欠かれて形成された内壁面側係合孔４１が形成されている。この内壁面側係合孔４１は、後述するコーナパネル３０の連結脚５６に形成された突部５９（図５）が係合するための係合孔である。ここで、この仕切り板８６が外方向へ傾斜しているのは、詳細は後述するが、コーナパネル３０を開口部３１に嵌合する際、コーナパネル３０の連結脚５６の突部５９（図５）を内壁面側係合孔４１へ案内するためである。
台座部４２は、上記コーナ内壁部４０の基端部の吸込口２１側に設けられている。この台座部４２は、後述するコーナパネル３０の連結脚５６のつまみ部５８（図５）が接触し、止着する部位であり、吸込口２１側（中心方向）へ向かって突出した台座突出部４５を有している。この台座突出部４５には、コーナパネル３０と化粧パネル本体２０とを固定するための固定用ねじ４３が螺合される雌ねじ部４４が形成されている。
この台座突出部４５は、吸込口２１側へ突出して形成されているため、吸込口２１に吸込グリル２３を取り付けた際は、図１及び図２に示すように、この台座突出部４５及び台座突出部４５の雌ねじ部４４に螺合される固定用ねじ４３が室内から見えない構成となっており、外観性の向上が図られている。
【００１５】
一方、コーナパネル３０は、図５に示すように、上記開口部３１の形状に対応した矩形状に形成されており、四つの辺のうち、外方向の二辺には、天井方向に突出したコーナパネル外周壁５０が、上記二辺にまたがって形成されている。このコーナパネル外周壁５０において、コーナパネル３０の４つの隅部のうち外方向に形成された外側隅部５１には、外方向へ向かって突出した外側係止爪５２が形成されている。この外側係止爪５２は、上記開口部３１の外側係止孔３３（図４）に係止する係止爪である。
また、コーナパネル外周壁５０において、コーナパネルの４つの隅部のうち、上記外側隅部５１と隣接する２つの側方隅部５３，５３には、上記開口部３１の側方係止孔３５，３５（図４、図６）に係止する側方係止爪５４，５４が形成されている。
さらに、コーナパネルの４つの隅部のうち、中心方向に形成された中心隅部５５には、連結脚５６が設けられている。
【００１６】
この連結脚５６は、弾性を有した材料で形成され、図５に示すように、天井方向へ向かって突出した立ち上がり部５７と、この立ち上がり部５７の先端から中心方向へ向かって折り曲がって形成されたつまみ部５８と、を有している。
上記立ち上がり部５７には、図５に示すように、外方向へ向かって突出した突部５９が形成されている。この突部５９は、上述したコーナ内壁部４０の内壁面側係合孔４１に係合する部材であり、突部５９の外方向の面には、中心方向へ向かって傾斜した傾斜部６０が形成されている。この傾斜部６０は、コーナパネル３０を開口部３１に嵌合する際、突部５９を内壁面側係合孔４１へ案内する。
また、上記つまみ部５８は、上述した台座部４２に接触し、止着する部材であり、天井−室内方向に貫通した貫通孔６１が形成されている。この貫通孔６１は、上記固定用ねじ４３が貫通する孔であり、コーナパネル３０と化粧パネル本体２０とを固定する際は、図６及び図７に示すように、専用の固定用ねじ４３をこの貫通孔６１を介して上記雌ねじ部４４に螺合させることにより、コーナパネル３０を化粧パネル本体２０にねじ止めする。
つまみ部５８において、貫通孔６１の中心方向の端から中心方向へ延出した部分の長さＬ１（図５）は、上記台座部４２の雌ねじ部４４の中心方向の端から中心方向へ延出した部分の長さＬ２（図４）より長く形成されており、コーナパネル３０が開口部３１に嵌合した際は、つまみ部５８の先端部が台座部４２を超えて中心方向に延出し、この延出した部分を作業者等が把持可能な構成となっている。この構成のため、詳細は後述するが、コーナパネル３０を開口部３１から取り外す際は、作業者等は、このつまみ部５８を把持し、このつまみ部５８を介してコーナパネル３０の位置を変位することにより、コーナパネル３０と開口部３１との嵌合を解くことができるようになっている。
【００１７】
上記構成のコーナパネル３０を化粧パネル本体２０に取り付ける手順は以下による。
すなわち、吸込グリル２３を外した状態の化粧パネル本体２０の開口部３１に、固定用ねじ４３を介さずに、コーナパネル３０を仮止めした後、固定用ねじ４３によってコーナパネル３０と化粧パネル本体２０とを本止めし、吸込グリル２３を化粧パネル本体２０に取り付ける。
【００１８】
具体的には、図６に示すように、コーナパネル３０の外側係止爪５２を開口部３１の外側係止孔３３に引っ掛け、これら外側係止爪５２と外側係止孔３３とを係止させた状態で、コーナパネル３０の中心隅部３６を天井方向に向かって押し込む。
コーナパネル３０が天井方向に向かって押し込まれると、コーナパネル３０の側方係止爪５４，５４が、開口部３１の内周に入り込んだ後、側方係止孔３５，３５に弾発的に係止する。これと同時に、コーナパネル３０の連結脚５６の立ち上がり部５７、及び、立ち上がり部５７に形成された突部５９が、上述したコーナ内壁部４０の傾斜に案内されて、コーナ内壁部４０の吸込口２１側へ入り込む。このとき、上記突部５９の傾斜部６０に愛内されて、突起５９がコーナ内壁部４０に接触しつつ天井方向へ摺動し、これに伴い、立ち上がり部５７は、突部５９の傾斜部６０の傾斜に応じて弾性変形する。さらに押し込みが進むと、突部５９が、傾斜部６０に案内されて、コーナ内壁部４０の内壁面側係合孔４１に入り込み、これら突部５９と内壁面側係合孔４１とが弾発的に係合し、仮止めが終了する。
上記仮止め後、固定用ねじ４３を、連結脚５６のつまみ部５８に形成された貫通孔６１を介して、台座部４２の台座突出部４５に形成された雌ねじ部４４に螺合し、本止めを行う。この本止め後、吸込口２１に吸込グリル２３を取り付ける。その際、上述したように、台座突出部４５は、吸込口２１に突出して形成されているため、図１及び図２に示すように、吸込グリル２３取り付け後は、上記固定用ねじ４３が露出しない。
【００１９】
このように、本実施形態では、コーナパネル３０の仮止めは、コーナパネル３０の外側係止爪５２を、化粧パネル本体２０の外側係止孔３３に引っ掛けた後、コーナパネル３０を天井方向へ押し込む、という簡単かつ単純な作業で行うことができるため、作業の簡易化、迅速化を図ることができる。また、仮止め時には、コーナパネル３０の四隅部において、コーナパネル３０と、開口部３１とが係合するため、コーナパネル３０の仮止めの状態を強固に保持することができ、仮止め後にコーナパネル３０が落下することがなく、安全性の向上が図られる。
【００２０】
次いで、コーナパネル３０を化粧パネル本体２０から取り外す手順について説明する。
コーナパネル３０の取り外しに際して、図７に示すように、まず、化粧パネル本体２０から吸込グリル２３を取り外し、台座部４２に螺合された固定用ねじ４３を露出した後、この固定用ねじ４３の螺合を解く。このとき、固定用ねじ４３が外れた状態（仮止めの状態）であっても、上述したように、コーナパネル３０は落下することがないため、作業者等は、この固定用ねじ４３の螺合を解く作業を、両手で行うことができ、作業の効率化、迅速化を図ることができると共に、安全性の向上を図ることができる。
固定用ねじ４３の螺合を解いた後、上記連結脚５６のつまみ部５８を把持し、このつまみ部５８を中心方向（図７中矢印Ｙ１に示す方向）に変位することにより連結脚５６の立ち上がり部５７を弾性変形し、コーナ内壁部４０に形成された内壁面側係合孔４１から、立ち上がり部５７の突部５９を抜いて、これらの係合を解いた後、つまみ部５８を室内側へ押し下げることにより、コーナパネル３０の中心隅部３６を室内方向へ向かって変位する。このコーナパネル３０の室内方向への変位に伴って、開口部３１の側方係止孔３５，３５とコーナパネル３０の側方係止爪５４，５４との係止状態が解除されると共に、開口部３１の外側係止孔３３と、コーナパネル３０の外側係止爪５２との係止状態が解除される。これにより、コーナパネル３０の四隅部における係合が解除され、化粧パネル本体２０からコーナパネル３０が取り外される。
このように本実施形態では、コーナパネル３０の連結脚５６のつまみ部５８を把持し、このつまみ部５８を弾性変形して、コーナパネル３０を室内側へ変位する、という簡単な作業でコーナパネル３０を化粧パネル本体２０から取り外すことができるため、作業の簡易化、迅速化を図ることができる。さらに、取り外しの作業において、上記固定用ねじ４３を抜いた後でも、コーナパネル３０は、落下することがないため安全性の向上を図ることができる。
また、本実施形態では、コーナパネル３０を化粧パネル本体２０から室内方向へ抜き取るようにして、取り外している。ここで、例えば、コーナパネル３０を外方向へスライドさせて取り外すような機構の場合、図１に示すように、空気調和機２と、照明ユニット６が隣接し、コーナパネル３０がスライドする位置に照明ユニット６が存在し、この照明ユニット６が障害となり取り外しの作業のが困難化する、ということがありえる。しかし、本実施形態では、コーナパネル３０を室内方向に変位して取り外すため、例えば、図１のように、空気調和機２と、照明ユニット６とが隣接している場合も、コーナパネル３０を取り外す際に、照明ユニット６が邪魔になり、取り外しの作業が困難化するということがない。
【００２１】
以上説明したように、本実施の形態によれば、コーナパネル３０を化粧パネル本体２０に取り付ける際、コーナパネル３０の外側係止爪５２を、化粧パネル本体２０の外側係止孔３３に引っ掛けた後、コーナパネル３０を天井方向へ押し込む、という簡単かつ単純な作業で取り付けることができる。また、コーナパネル３０を化粧パネル本体２０から取り外す際は、コーナパネル３０の連結脚５６のつまみ部５８を把持し、このつまみ部５８を中心方向に変位することにより、連結脚５６の立ち上がり部５７を弾性変形し、コーナ内壁部４０に形成された内壁面側係合孔４１から、立ち上がり部５７の突部５９を抜いて、これらの係合を解いた後、このつまみ部５８を介してコーナパネル３０を室内方向へ変位する、という簡単な作業で取り外すことができる。このように、本実施形態では、永久磁石やプレート等の特別な部材を用いることなく、コーナパネル３０の着脱容易性を維持したまま、コストの削減及び部材構造の簡素化を図ることができる。
また、本実施の形態によれば、連結脚５６の先端に台座部４２を越えて延出したつまみ部５８が形成されているため、容易かつ確実につまみ部５８を把持することができ、作業の容易化、効率化を図ることができる。
【００２２】
なお、上述した実施の形態は、あくまでも本発明の一態様を示すものであり、本発明の範囲内で任意に変形および応用が可能である。
例えば、本実施形態では、グリッドシステム天井に設けた空気調和機２を例示したが、これは、天井に設けた開口に空気調和機を嵌め込むタイプの空気調和機であってもよい。また、本実施形態に係る空気調和機２は、６００ｍｍ×６００ｍｍの外形状を有する４方向カセット型の空気調和機２を例示したが、これに限定されず、例えば、６４０ｍｍ×６４０ｍｍの外形上を有してもよく、また、二方向型の空気調和機であってもよい。
【図面の簡単な説明】
【００２３】
【図１】本実施形態に係る天井埋込型空気調和装置の空気調和機をグリッドシステム天井に設置した状態を室内側から見た図である。
【図２】空気調和機を下面側から示す斜視図である。
【図３】空気調和機の縦断面図である。
【図４】化粧パネル本体の１つの隅部を室内側から見た図である。
【図５】コーナパネルを裏面から見た斜視図である。
【図６】コーナパネルの化粧パネル本体に取り付ける前の状態を示す図である。
【図７】コーナパネルを化粧パネル本体に取り付けた後の状態を示す図である。
【符号の説明】
【００２４】
１  天井埋込型空気調和装置
２  空気調和機
１０  ボルト
１１  空気調和機本体
１２  化粧パネル
２０  化粧パネル本体
２０Ａ  隅部
２５  化粧パネル側開口
３０  コーナパネル
３１  コーナパネル嵌合部
３３  外側係止孔
３５  側方係止孔
４０  コーナ内壁部
４１  内壁面側係合孔
４２  台座部
５２  外側係止爪
５４  側方係止爪
５５  中心隅部
５６  連結脚
５８  つまみ部
５９  突部
６０  傾斜部
【図１】
0005011022.tif 000002
【図２】
0005011022.tif 000003
【図３】
0005011022.tif 000004
【図４】
0005011022.tif 000005
【図５】
0005011022.tif 000006
【図６】
0005011022.tif 000007
【図７】
0005011022.tif 000008